(57)【特許請求の範囲】
【請求項１】
外部装置から受信した音声情報に基づく音声を出力するスピーカおよび装置外部の音声を入力するマイクを備え、操作ボタンを介して受け付けた入力操作に応じて無線通信を利用した音声情報の送受信をおこなう、携帯型の音声通信機器において、
前記操作ボタンを構成し、外光を投光するレンズと、
前記レンズによって投光された外光を電気に変換する発電用の光電変換素子と、
前記発電用の光電変換素子によって変換された電気によって駆動される駆動手段と、
を備え、
前記マイクおよび前記スピーカは、前記操作ボタンの配置面の裏面側に設けられていることを特徴とする音声通信機器。
【請求項２】
外部装置から受信した音声情報に基づく音声を出力するスピーカおよび装置外部の音声を入力するマイクを備え、操作ボタンを介して受け付けた入力操作に応じて無線通信を利用した音声情報の送受信をおこなう、携帯型の音声通信機器において、
所定の情報を表示するディスプレイを備える表示手段と、
前記ディスプレイよりも装置内部に設けられて、前記ディスプレイを介して入射された外光を電気に変換する発電用の光電変換素子と、
前記発電用の光電変換素子によって変換された電気によって駆動される駆動手段と、を備え、
前記マイクおよび前記スピーカは、前記ディスプレイの配置面の裏面側に設けられていることを特徴とする音声通信機器。
【発明の詳細な説明】
【技術分野】
【０００１】
この発明は、電子機器および音声通信機器に関し、特に入力操作を受け付ける操作ボタンを備える電子機器および音声通信機器に関する。
【背景技術】
【０００２】
近年、資源を有効に利用し、地球環境の改善を図ることを目的として、光起電力効果を利用して太陽光の光エネルギーを電気に変換する発電用の光電変換素子（以下、「太陽電池」という）の活用が望まれており、従来より、太陽電池が発電した電気を利用する電子機器に関する様々な技術がある。従来では、たとえば、カメラ装置などの電子機器の外表面に太陽電池を設けた技術がある（たとえば、下記特許文献１，２参照。）。
【０００３】
太陽電池における発電量は、太陽電池に入射する光量に左右される。乾電池や充電池などの化学電池の電気によって駆動される電子機器は、太陽電池が発電した電気を併用することによって化学電池の消費量を抑える効果が期待できるが、その効果は太陽電池の発電量に左右される。このため、従来より、太陽電池における発電効率を向上させるための様々な技術が存在する。たとえば、集光性を有するフレネルレンズや凸レンズによって集光した光を太陽電池に入射させるようにした技術がある（たとえば、下記特許文献３，４参照。）。
【０００４】
【特許文献１】特開平９−２４４１１９号公報
【特許文献２】特開平７−１８１５７７号公報
【特許文献３】特開２００１−９９０４８号公報
【特許文献４】特開２００３−４６１０９号公報
【発明の開示】
【発明が解決しようとする課題】
【０００５】
しかしながら、上述した従来の技術のうち、特許文献１，２に記載された技術では、太陽電池を搭載する電子機器が、たとえば、携帯型電話機のように小型の電子機器である場合には、当該電子機器に大型の太陽電池を設けることは困難であり、化学電池の消費量を抑える効果が十分に発揮できないという問題点があった。
【０００６】
また、特許文献１，２に記載された技術では、電子機器の外表面に太陽電池を設けるため、そのためのスペースを確保する必要があるだけでなく、太陽電池を外表面に設けることによって電子機器の外観が損なわれたり、電子機器を操作しづらくなったりするという問題があった。同様に、上述した従来技術のうち、特許文献３，４に記載された技術では、たとえば、フレネルレンズや凸レンズなどの光学部材を別途設けることで、装置の外観が損なわれる懸念があるという問題があった。
【０００７】
また、特許文献３，４に記載された技術では、フレネルレンズや凸レンズなどの光学部材を別途設けるため、太陽電池が発電した電気を利用するための装置が大型化したり、総重量が増加したり、さらには、製造コストが増加したりするという問題があった。
【０００８】
この発明は、上述した従来技術による問題点を解消するため、限られたスペースにおいて、操作性や外観を損ねることなく太陽電池による発電を効率的におこない、化学電池の電力消費量を低減することができる電子機器および音声通信機器を提供することを目的とする。
【課題を解決するための手段】
【０００９】
この発明にかかる電子機器は、入力操作を受け付ける操作ボタンを備える電子機器であって、前記操作ボタンを構成し、外光が入射されるレンズと、前記レンズの焦点位置に設けられて、前記レンズに入射された外光を電気に変換する発電用の光電変換素子と、前記発電用の光電変換素子によって変換された電気によって駆動される駆動手段と、を備えることを特徴とする。
【００１０】
電子機器において、たとえば、乾電池などの一次電池を使用する場合には一次電池の残量が不足すると電池を交換する作業が発生し、充電式の二次電池を使用する場合には二次電池の残量が不足すると充電する作業が発生する。また、一次電池や二次電池などの化学電池は、化学反応を利用して電気を生成することから、使用にともなって性能が劣化し、ある程度性能が劣化した場合には廃棄することになる。このため、化学電池を使用することは、有限物質の消費につながる。
【００１１】
この発明によれば、レンズを用いることで発電用の光電変換素子に外光を確実に入射させ、発電用の光電変換素子における光電変換（以下、「発電」という）を効率よくおこなうことができるので、限られたスペースにおいて、操作性や外観を損ねることなく太陽電池による発電を効率的におこない、化学電池の電力消費量を低減することができる。これによって、化学電池における電力の残量不足による電池交換や充電などの作業頻度が低減し、利用者の作業負担を軽減することができる。
【００１２】
また、この発明にかかる電子機器における前記レンズは、凹レンズであることを特徴とする。
【００１３】
発電用の光電変換素子においては、光が入射した部分で発電がおこなわれる。このため、発電用の光電変換素子は、光が入射する面積を広くすると、発電能力が向上する。
【００１４】
この発明によれば、発電用の光電変換素子に光が入射する面積をレンズにおける外光の入射面積よりも広くすることで、発電用の光電変換素子の発電能力を向上させることができるので、限られたスペースにおいて、操作性や外観を損ねることなく太陽電池による発電を効率的におこない、化学電池の電力消費量を一層低減することができる。これによって、化学電池における電力の残量不足による電池交換や充電などの作業頻度が低減し、利用者の作業負担を一層軽減することができる。
【００１５】
また、この発明にかかる電子機器における前記レンズは、凸レンズであることを特徴とする。
【００１６】
発電用の光電変換素子を損壊させない範囲内であれば、発電用の光電変換素子に入射する外光の強度が高い方が、発電能力が向上する傾向にある。
【００１７】
この発明によれば、レンズに入射した時点の外光の強度よりも強度の高い光を発電用の光電変換素子に入射させることで、発電用の光電変換素子の発電能力を向上させることができるので、限られたスペースにおいて、操作性や外観を損ねることなく太陽電池による発電を効率的におこない、化学電池の電力消費量を一層低減することができる。これによって、化学電池における電力の残量不足による電池交換や充電などの作業頻度が低減し、利用者の作業負担を一層軽減することができる。
【００１８】
また、この発明にかかる電子機器における前記操作ボタンは複数設けられており、前記レンズは、複数の前記操作ボタンのうちの少なくとも２つ以上のボタンを構成し、前記操作ボタンごとに凹レンズまたは凸レンズのいずれかであって、前記操作ボタン全体の中に前記凹レンズと前記凸レンズとが混在していることを特徴とする。
【００１９】
この発明によれば、凹レンズによって発電用の光電変換素子の発電面積をレンズにおける光の入射面積よりも広くして発電用の光電変換素子の発電能力を向上させるとともに、凸レンズによって外光の強度よりも強度の高い光を発電用の光電変換素子に入射させて発電用の光電変換素子の発電能力を向上させることができるので、外光の強度の高低に起因する発電用の光電変換素子の発電能力の低下を緩和し、化学電池の電力消費量の低減効果の実効性を高めることができる。
【００２０】
また、この発明にかかる電子機器における前記駆動手段は、所定の情報を表示するディスプレイを備える表示手段であることを特徴とする。
【００２１】
電子機器では、ディスプレイの画素数が多いほど、当該ディスプレイに表示する情報を高精細化することができるが、その一方で各画素を駆動するために消費する電力が増加する。
【００２２】
この発明によれば、発電用の光電変換素子が発電した電気を用いてディスプレイに情報を表示することができるので、ディスプレイに表示する情報を高精細化した場合にも、限られたスペースにおいて、操作性や外観を損ねることなく太陽電池による発電を効率的におこない、化学電池の電力消費量を低減することができる。これによって、利用者に対して高精細な情報を表示するとともに、化学電池における電力の残量不足による電池交換や充電などの作業頻度が低減し、利用者の作業負担を軽減することができる。
【００２３】
また、この発明にかかる電子機器は、前記ディスプレイよりも装置内側に設けられて、前記ディスプレイを介して入射された外光を電気に変換する補助発電用の光電変換素子をさらに備え、前記ディスプレイは、光学的に透明な材料によって構成されており、前記駆動手段は、前記補助発電用の光電変換素子によって変換された電気によって駆動されることを特徴とする。
【００２４】
この発明によれば、ディスプレイを介して入射した外光を用いて補助発電用の光電変換素子で発電した電気によって駆動手段を駆動することで、限られたスペースにおいて、操作性や外観を損ねることなく太陽電池による発電を効率的におこない、化学電池の電力消費量を一層低減することができる。これによって、化学電池における電力の残量不足による電池交換や充電などの作業頻度が低減し、利用者の作業負担を一層軽減することができる。
【００２５】
また、この発明にかかる電子機器は、外部装置との間で電波を送受信するアンテナを備え、前記駆動手段は、前記アンテナを用いて外部装置と無線通信をおこなう通信手段であることを特徴とする。
【００２６】
この発明によれば、通信可能な電子機器を可搬化するとともに、限られたスペースにおいて、操作性や外観を損ねることなく太陽電池による発電を効率的におこない、化学電池の電力消費量を低減することができるので、電子機器の利便性の向上を図ることができる。
【００２７】
また、この発明にかかる電子機器は、音声情報に基づく音声を出力するスピーカと、装置外部の音声を入力するマイクと、を備え、前記通信手段は、前記マイクによって入力された音声に基づく音声信号および前記アンテナを介して受信された電波に基づく音声信号を、前記アンテナを用いて送受信することを特徴とする。
【００２８】
この発明によれば、たとえば携帯型電話機を用いた通話のように、煩雑な入力操作をともなうことなく、利用者が必要な情報を送受信することができるので、電子機器の利便性の向上を図ることができる。
【００２９】
また、この発明にかかる電子機器における前記駆動手段は、前記発電用の光電変換素子によって変換された電気を蓄電する蓄電装置であることを特徴とする。
【００３０】
この発明によれば、発電用の光電変換素子が発電した電気を必要時に使用することで、発電した電気を有効に利用することができるので、化学電池の電力消費量を一層低減することができる。これによって、化学電池における電力の残量不足による電池交換や充電などの作業頻度が低減し、利用者の作業負担を一層軽減することができる。
【００３１】
また、この発明にかかる音声通信機器は、外部装置から受信した音声情報に基づく音声を出力するスピーカおよび装置外部の音声を入力するマイクを備え、操作ボタンを介して受け付けた入力操作に応じて無線通信を利用した音声情報の送受信をおこなう携帯型の音声通信機器において、前記操作ボタンを構成し、外光を集光するレンズと、前記レンズの焦点位置に設けられて、前記レンズによって集光された外光を電気に変換する発電用の光電変換素子と、前記発電用の光電変換素子によって変換された電気によって駆動される駆動手段と、を備え、前記マイクおよび前記スピーカは、前記操作ボタンの配置面の裏面側に設けられていることを特徴とする。
【００３２】
この発明によれば、通話中であるか否かにかかわらず発電用の光電変換素子に外光を確実に入射させて発電を効率よくおこなうことができるので、通話に支障を来たすことなく化学電池の電力消費量を低減することができる。これによって、化学電池の残量不足による電池交換や充電などの作業頻度が低減し、利用者の作業負担を軽減することができる。
【００３３】
また、この発明にかかる音声通信機器は、入射された外光の強度に応じた電気信号を生成する撮像用の光電変換素子と、被写体から反射された外光を前記撮像用の光電変換素子に入射させる撮影用レンズと、前記撮影用レンズに入射された外光を前記発電用の光電変換素子または前記撮像用の光電変換素子に入射させるように光路を切り替える光路切替機構と、を備えることを特徴とする。
【００３４】
この発明によれば、撮像用の光電変換素子の不使用時（以下、「非撮像時」という）に撮影用レンズに入射された外光を発電用の光電変換素子に入射させるように光路を切り替えることで、発電時には発電用の光電変換素子に外光を確実に入射させて発電を効率よくおこなうことができるので、撮像に支障を来たすことなく化学電池の電力消費量を一層低減することができる。これによって、化学電池における電力の残量不足による電池交換や充電などの作業頻度が低減し、利用者の作業負担を軽減することができる。
【００３５】
また、この発明にかかる音声通信機器における前記撮影用レンズは、前記マイクおよび前記スピーカの配置面の裏面側に設けられていることを特徴とする。
【００３６】
この発明によれば、非撮像時には発電用の光電変換素子に外光を入射させることで、発電を効率よくおこなうことができるので、撮像に支障を来たすことなく化学電池の電力消費量を一層低減することができる。これによって、化学電池における電力の残量不足による電池交換や充電などの作業頻度が低減し、利用者の作業負担を軽減することができる。
【発明の効果】
【００３７】
この発明にかかる電子機器および音声通信機器によれば、限られたスペースにおいて、操作性や外観を損ねることなく太陽電池による発電を効率的におこない、化学電池の電力消費量を低減することができる。
【発明を実施するための最良の形態】
【００３８】
以下に、添付図面を参照して、この発明にかかる電子機器および音声通信機器の好適な実施の形態を詳細に説明する。この実施の形態は、この発明にかかる電子機器および音声通信機器を実現する携帯型電話機への適用例を示す。
【００３９】
（実施の形態１）
図１は、実施の形態１の携帯型電話機を示す正面図である。図１に示したように、携帯型電話機１００は、本体ハウジング１０１の正面側に設けられたディスプレイとしてのメインディスプレイ１０２、および複数の操作ボタン１０３を備えている。本体ハウジング１０１は、第１のハウジング１０４および第２のハウジング１０５を備えている。
【００４０】
第１のハウジング１０４には、音声を出力するスピーカ１０６が設けられている。第２のハウジング１０５には、たとえば、利用者の声など、装置外部の音声を入力するマイク１０７が設けられている。メインディスプレイ１０２は第１のハウジング１０４に設けられており、複数の操作ボタン１０３は第２のハウジング１０５に設けられている。
【００４１】
メインディスプレイ１０２は、たとえば、液晶材料を用いて構成されている。図示を省略するが、液晶材料を用いて構成されるメインディスプレイ１０２は、対向電極側基板モジュールとＴＦＴ（Ｔｈｉｎ  Ｆｉｌｍ  Ｔｒａｎｓｉｓｔｏｒ）側基板モジュールとの間に液晶を封入した液晶パネルを備えている。
【００４２】
対向電極側基板モジュールは、ガラス基板上に設けられた偏光板，カラーフィルタ，透明導電膜，および配向膜を備えている。ＴＦＴ側基板モジュールは、ガラス基板上に設けられた偏光板，透明導電膜，および配向膜を備えている。ＴＦＴ側基板モジュールが備える透明導電膜は、メインディスプレイ１０２の表示画素数分設けられており、それぞれに駆動トランジスタが設けられている。
【００４３】
液晶パネルの最背面（本体ハウジングの内側となる面）には、バックライトが設けられている。バックライトは、たとえば、自身が発光する板状部材であってもよいし、導光板のように光源が発光した光を伝播させることで面状に発光する部材であってもよい。
【００４４】
メインディスプレイ１０２は、光学的に透明な材料によって構成されており、メインディスプレイ１０２に対して、本体ハウジング１０１の外部から入射する光（以下、「外光」という）を、第１のハウジング１０４内に透過させる。実施の形態１では、メインディスプレイ１０２が備えるバックライトは、メインディスプレイ１０２を構成する液晶パネルに積層されて光学的に透明な導光板、および、当該導光板に光を入射する光源によって構成されている。
【００４５】
操作ボタン１０３は、第２のハウジング１０５に設けられた開口部（図３を参照）に嵌め込まれており、第２のハウジング１０５内に埋没する方向へ変位可能に設けられている。操作ボタン１０３は、図示しない付勢部材によって第２のハウジング１０５の外方へ付勢されており、利用者の操作に応じて埋没する方向に変位した場合には、埋没する方向への付勢力が解除されると付勢部材から受ける付勢力によって元の位置に復帰する。
【００４６】
図２は、実施の形態１の携帯型電話機１００を示す背面図である。図２に示したように、携帯型電話機１００は、本体ハウジング１０１の背面側に設けられたサブディスプレイ２０１，撮像用レンズ２０２，撮影フラッシュＬＥＤ２０３，電池パック２０４，およびアンテナ２０５を備えている。サブディスプレイ２０１，撮像用レンズ２０２，および撮影フラッシュＬＥＤ２０３は、第１のハウジング１０４に設けられている。
【００４７】
サブディスプレイ２０１は、上述したメインディスプレイ１０２と同様に、液晶パネルおよびバックライトを備えている。サブディスプレイ２０１に表示する画像がモノクロ画像であれば、バックライトの代わりに、外光を本体ハウジング１０１外へ反射する反射板を用いてもよい。これによって、ある程度、周囲が明るい場合には、サブディスプレイ２０１に表示された表示内容を、自然光で見ることができる。
【００４８】
撮影フラッシュＬＥＤ２０３は、撮像用レンズ２０２を用いた撮像タイミングに合わせて点灯する。撮影フラッシュＬＥＤ２０３は、携帯型電話機１００の周囲の明るさに応じて自動的に点灯してもよいし、操作ボタン１０３の操作に応じてマニュアルで点灯してもよい。
【００４９】
電池パック２０４およびアンテナ２０５は、第２のハウジング１０５に設けられている。電池パック２０４は、第２のハウジング１０５に対して着脱自在に設けられている。電池パック２０４は、携帯型電話機１００が備える各部に供給する電気が充電される充電池（図３を参照）を備えている。充電池は、充電された電気を放電によって、携帯型電話機１００が備える各部に供給する。また、電気を放電した充電池は、再度電気を充電することができる。充電池は、充電と放電を繰り返すことによって、電源として繰り返して使用することができる。
【００５０】
図示を省略するが、本体ハウジング１０１の内部には、撮像用レンズ２０２に入射した外光を、撮像用の光電変換素子としてのＣＣＤ（Ｃｈａｒｇｅ  Ｃｏｕｐｌｅｄ  Ｄｅｖｉｃｅｓ、図５を参照）に入射するための撮像用の光学部材が設けられている。公知の技術であるため説明を省略するが、ＣＣＤは、入射した光の強弱に応じた電気信号を生成し、デジタル画像データを生成する半導体素子である。
【００５１】
また、本体ハウジング１０１の内部には、撮像用レンズ２０２に入射した外光を、第１のハウジング１０４内に設けられたソーラーセル（図４を参照）に入射させるための光路を形成する発電用の光学部材が設けられている。発電用の光学部材は、撮像用の光学部材がＣＣＤに外光を入射させない場合、すなわち非撮像時に光路を形成する。
【００５２】
具体的には、たとえば、非撮像時には、プリズムや鏡などを用いて、撮像用レンズ２０２に入射した外光を撮像用の光学部材が形成する光路から逸らして、発電用の光路を形成する。この場合、たとえば、プリズムや鏡などが撮像用の光学部材が形成する光路に干渉して当該光路を逸らす位置または当該光路に干渉しない位置のいずれか一方に選択的に位置づけられるようにプリズムや鏡などを保持する光路切替機構を設けることで、撮像用の光路と発電用の光路とを切り替え自在に形成することができる。プリズムや鏡などは、たとえば、モータ（図５を参照）などを用いて、撮像用の光路に干渉する位置と干渉しない位置との間で移動させる。
【００５３】
本体ハウジング１０１が備える第１のハウジング１０４および第２のハウジング１０５は、図示しないヒンジ部を介して相対的に回動自在に連結されている。図１および図２には、利用者が、メインディスプレイ１０２を視認でき、操作ボタン１０３を操作できる状態（以下、「開放状態」という）とされた携帯型電話機１００が示されている。
【００５４】
開放状態とされた携帯型電話機１００は、図示しないヒンジ部を介して第１のハウジング１０４と第２のハウジング１０５とを相対的に回動させることによって、第１のハウジング１０４と第２のハウジング１０５とが重なり合う折り畳み状態とすることができる。折り畳み状態においては、メインディスプレイ１０２と複数の操作ボタン１０３とが対向した状態で、第１のハウジング１０４と第２のハウジング１０５とが重なり合う。
【００５５】
図３は、図１のＡ−Ａ断面を示す概略図である。図３に示したように、第２のハウジング１０５の内部には、発電用の光電変換素子としてのソーラーセル３０１が設けられている。ソーラーセル３０１は、光電効果を利用して、ソーラーセル３０１に照射された光を電気に変換（以下、「発電」という）する。ソーラーセル３０１としては、多重接合型セル，単結晶シリコンセル，多結晶シリコンセル，アモルファスシリコンセル，複合セルなど各種のタイプのソーラーセルを用いることができる。
【００５６】
ここで、ソーラーセル３０１における発電原理について説明する。具体的には、たとえば、単結晶シリコンセル，多結晶シリコンセルなどのシリコンタイプのソーラーセル３０１における発電原理について説明する。公知の技術であるため図示および詳細な説明を省略するが、シリコンタイプのソーラーセル３０１は、基本的には、ｐ型半導体とｎ型半導体とを重ね合わせて接合することによって構成されている。
【００５７】
なお、ｐ型半導体とは、高純度のシリコン半導体（以下、「真性半導体」という）に、たとえば、ホウ素などの３価の元素を微量混入させることによって生成されている。ｎ型半導体は、真性半導体にヒ素などの５価の元素を微量混入させることによって生成されている。
【００５８】
シリコンタイプのソーラーセル３０１では、ｐ型半導体とｎ型半導体との接合部分（以下、「ｐｎ接合部」という）およびその近傍で、光電変換がおこなわれる。ソーラーセル３０１は、光が照射されることによってシリコン内部に発生した電子および正孔のうち、プラスの電荷をもった正孔をｐ型半導体側へ誘導するとともにマイナスの電荷をもった電子をｎ型半導体側に誘導する。このように、ソーラーセル３０１では、光が照射されることによって電子の移動を発生させることで発電する。
【００５９】
光が照射された状態のソーラーセル３０１では、ｐｎ接合部を間にしてｐ型半導体側がプラスに帯電し、ｎ型半導体側をマイナスに帯電しており、ｐｎ接合部を間にしてｐ型半導体側とｎ型半導体側とで電位差が生じる。ソーラーセル３０１は、蓄電池に接続されている（図５を参照）。蓄電池は、ソーラーセル３０１が発電した電気を蓄電し、蓄電した電気を適宜放電する。実施の形態１では、蓄電池によって蓄電装置が実現されている。なお、蓄電池の具体的な構成については、公知の技術であるため図示および説明を省略する。
【００６０】
ソーラーセル３０１には、操作ボタン１０３を透過した外光が入射される。図３に示したように、操作ボタン１０３は、凹レンズ形状を有している。実施の形態１では、操作ボタン１０３によってレンズ、より詳細には凹レンズが実現されている。図３中符号３０２は、操作ボタン１０３が嵌め込まれる開口部である。操作ボタン１０３は、図３中仮想線で示したように、操作ボタン１０３に入射した外光を発散させて、ソーラーセル３０１側へ透過させる。これにより、操作ボタン１０３における光の入射面積よりもソーラーセル３０１の発電面積を広くすることができる。図３中符号３０３は、電池パック２０４内の充電池である。
【００６１】
図４は、図１のＢ−Ｂ断面を示す概略図である。図４に示したように、第１のハウジング１０４の内部には、補助発電用の光電変換素子としてのソーラーセル４０１が設けられている。ソーラーセル４０１は、メインディスプレイ１０２に重ね合わされており、メインディスプレイ１０２を介してソーラーセル４０１に入射した外光を電気に変換する。ソーラーセル４０１としては、多重接合型セル，単結晶シリコンセル，多結晶シリコンセル，アモルファスシリコンセル，複合セルなど各種のタイプのソーラーセルを用いることができる。
【００６２】
上述したように、メインディスプレイ１０２は、光学的に透明な材料によって構成されていることから、メインディスプレイ１０２に入射した外光は、メインディスプレイ１０２を透過してソーラーセル４０１に入射する。ソーラーセル４０１は、メインディスプレイ１０２を介して外光が入射されると発電する。ソーラーセル４０１が発電するメカニズムは、上述したソーラーセル３０１と同様であるため説明を省略する。ソーラーセル４０１は、上述した蓄電池に接続されており（図５を参照）、ソーラーセル４０１が発電した電気は蓄電池３０３に蓄電される。
【００６３】
メインディスプレイ１０２が光学的に透明な材料によって構成されていることから、ソーラーセル４０１には常時外光が入射する。メインディスプレイ１０２に情報を表示している状態では、各画素の色によって特定波長の光が吸収されるため、メインディスプレイ１０２を介して入射する外光の光量は、メインディスプレイ１０２に情報を表示していない状態の方が、メインディスプレイ１０２に情報を表示している場合よりも多くなる。
【００６４】
上述した発電用の光学部材は、発電用の光路として、撮像用レンズ２０２に入射した外光をソーラーセル４０１に入射するための光路を形成する。図４中符号４０２は、携帯型電話機１００が備える各部を駆動制御するための制御基板である。
【００６５】
図５は、携帯型電話機１００が備える各部の電気的接続を示すブロック図である。図５に示したように、携帯型電話機１００は、上述したメインディスプレイ１０２，スピーカ１０６，マイク１０７，サブディスプレイ２０１，撮影フラッシュＬＥＤ２０３，ソーラーセル３０１，ソーラーセル４０１，充電池３０３，ＣＣＤ５０１，およびモータ５０２に加えて、ＣＰＵ５０３，ＲＯＭ５０４，ＲＡＭ５０５，ＶＲＡＭ５０６，フラッシュメモリ５０７，通信Ｉ／Ｆ５０８，入力Ｉ／Ｆ５０９，および蓄電池５１０を備えている。
【００６６】
メインディスプレイ１０２，スピーカ１０６，マイク１０７，サブディスプレイ２０１，撮影フラッシュＬＥＤ２０３，ソーラーセル３０１，ソーラーセル４０１，充電池３０３，ＣＣＤ５０１，モータ５０２，ＣＰＵ５０３，ＲＯＭ５０４，ＲＡＭ５０５，ＶＲＡＭ５０６，フラッシュメモリ５０７，通信Ｉ／Ｆ５０８，入力Ｉ／Ｆ５０９，および蓄電池５１０は、バスを介して電気的に接続されている。
【００６７】
ＣＰＵ５０３は、携帯型電話機１００が備える各部を駆動制御する。ＲＯＭ５０４は、ＣＰＵが携帯型電話機１００が備える各部を駆動制御するための制御プログラムなどを記録する。ＲＡＭ５０５は、ＲＯＭ５０４に記録された制御プログラムなどをＣＰＵ５０３が実行する際に、ＣＰＵ５０３のワークエリアとして機能する。
【００６８】
ＶＲＡＭ５０６は、メインディスプレイ１０２やサブディスプレイ２０１に表示する画像データを展開し、メインディスプレイ１０２やサブディスプレイ２０１に出力する。ＶＲＡＭ５０６は、フラッシュメモリ５０７に記録されたデータや、ＣＣＤ５０１で生成された画像データなどを展開する。フラッシュメモリ５０７は、ＣＣＤ５０１で生成された画像データなどを記録する。実施の形態１では、メインディスプレイ１０２に画像を表示するためにかかわる各部によって表示手段が実現されている。
【００６９】
モータ５０２は、上述したプリズムや鏡などを、撮像用の光路に干渉する位置と干渉しない位置との間で移動させる。図示を省略するが、スピーカ１０６は、アンテナ２０５を介して受信した音声情報に基づいて、デジタル信号をアナログに変換するＤ／Ａコンバータを備えている。同様に、図示を省略するが、マイク１０７は、入力されたアナログの音声をデジタル信号の音声情報に変換するＡ／Ｄコンバータを備えている。
【００７０】
通信Ｉ／Ｆ５０８は、無線を介して携帯電話網などのネットワークに接続され、外部装置との無線通信に際してのインターフェースとして機能する。実施の形態１では、通信Ｉ／Ｆ５０８によって通信手段が実現されている。入力Ｉ／Ｆ５０９は、操作ボタン１０３における操作に応じた信号を、ＣＰＵ５０３に対して出力する。ＣＰＵ５０３は、入力Ｉ／Ｆ５０９から出力された信号に応じて、携帯型電話機１００が備える各部を駆動制御する。
【００７１】
また、ＣＰＵ５０３は、携帯型電話機１００が備える各部の駆動制御に際して、駆動制御に要する電力を、充電池３０３あるいは蓄電池５１０から供給するように、電力供給元を選択する。ＣＰＵ５０３は、蓄電池５１０が蓄電している電気量に応じて、充電池３０３あるいは蓄電池５１０を電力供給元として選択する。ＣＰＵ５０３は、充電池３０３よりも蓄電池５１０を優先的に選択する。また、ＣＰＵ５０３は、ソーラーセル３０１あるいはソーラーセル４０１を電力供給元として選択してもよい。蓄電池５１０は、ソーラーセル３０１，４０１で発電した電気を蓄電するとともに、ＣＰＵ５０３からの放電指示に応じて放電し、駆動対象に電気を供給する。
【００７２】
携帯型電話機１００においては、化学電池（二次電池）である充電池３０３を電源とすることで、電気の残量が不足すると充電池３０３に充電する作業が発生する。化学電池の一つである二次電池は、化学反応を利用して発電することから、使用にともなって性能が劣化し、ある程度性能が劣化した場合には廃棄することになるので、有限物質の消費につながる。
【００７３】
携帯型電話機１００の電源としては、市販されている乾電池のように、化学電池の一つである一次電池を用いることができるが、一次電池を用いた場合にも、電気の残量が不足すると電池を交換する作業が発生し、性能が劣化すれば廃棄することになる。
【００７４】
実施の形態１の携帯型電話機１００は、ソーラーセル３０１，４０１が発電した電気を用いて、携帯型電話機１００が備える各部を駆動制御することから、充電池３０３の消費量を低減し、充電池３０３の残量不足による電池交換や充電などの利用者の作業頻度を軽減することができる。この場合、蓄電池５１０に蓄電された電気を用いても、ソーラーセル３０１，４０１から直接得られる電気を用いてもよいが、蓄電池５１０に蓄電された電気を用いる方が、携帯型電話機１００が備える各部を安定して駆動制御することができる。実施の形態１では、携帯型電話機１００が備える各部のうち、ソーラーセル３０１，４０１が発電した電気を用いて駆動される部材によって駆動手段が実現されている。
【００７５】
また、実施の形態１の携帯型電話機１００は、非通話時に、本体ハウジング１０１を開放状態として操作ボタン１０３を露出させ、太陽や照明などの光源に操作ボタン１０３を向けておくことで、操作ボタン１０３を介して入射する外光の光量を増やし、ソーラーセル３０１の発電量を増やすことができる。
【００７６】
ソーラーセル３０１の発電量が増えることによって、ソーラーセル３０１が発電した電気を用いて駆動する駆動対象を増やしたり、ソーラーセル３０１が発電した電気を用いた駆動時間を増やしたりすることができるので、充電池３０３における電力の消費量を一層低減し、充電池３０３における電力の残量不足による電池交換や充電などの利用者の作業頻度を一層軽減することができる。
【００７７】
上述したように、実施の形態１の携帯型電話機１００は、操作ボタン１０３がレンズ形状を有しているため、レンズ効果を利用してソーラーセル３０１に外光を確実に入射させることができるので、限られたスペースにおいて、操作性や外観を損ねることなくソーラーセル３０１が効率よく発電することができる。
【００７８】
これによって、携帯型電話機１００は、充電池３０３における電力の残量不足による電池交換や充電などの利用者の作業頻度を軽減することができる。さらに、化学電池である充電池３０３における電力の消費量を低減することで、化石燃料などの有限物質の消費量を低減する効果を期待することができる。
【００７９】
また、実施の形態１の携帯型電話機１００は、操作ボタン１０３が凹レンズ形状を有しているため、ソーラーセル３０１の面積を操作ボタン１０３における光の入射面積よりも広くして、発電能力を向上させることができる。これによって、携帯型電話機１００は、限られたスペースにおいて、操作性や外観を損ねることなく充電池３０３における電力の消費量を一層低減し、充電池３０３における電力の残量不足による電池交換や充電などの利用者の作業頻度を一層軽減することができる。
【００８０】
また、実施の形態１の携帯型電話機１００は、さらに、ソーラーセル４０１で発電した電気を用いて、携帯型電話機１００が備える各部を駆動制御することから、限られたスペースにおいて、操作性や外観を損ねることなく充電池３０３における電力の消費量を一層低減し、充電池３０３における電力の残量不足による電池交換や充電などの利用者の作業頻度を一層軽減することができる。
【００８１】
また、実施の形態１の携帯型電話機１００は、発電用の光学部材が、撮像用レンズ２０２に入射した外光をソーラーセル４０１に入射するための光路を形成した場合、撮像用レンズ２０２に入射した外光を用いてソーラーセル４０１で発電した電気を用いて、携帯型電話機１００が備える各部を駆動制御することができる。
【００８２】
非撮像時には外光がソーラーセル４０１に入射するので、たとえば、通話中であってもソーラーセル４０１で発電し、ソーラーセル４０１で発電した電気を用いて、携帯型電話機１００が備える各部を駆動制御することができる。これによって、携帯型電話機１００は、限られたスペースにおいて、操作性や外観を損ねることなく充電池３０３における電力の消費量を一層低減し、充電池３０３における電力の残量不足による電池交換や充電などの利用者の作業頻度を一層軽減することができる。
【００８３】
携帯型電話機１００では、携帯型電話機１００におけるメインディスプレイ１０２やサブディスプレイ２０１に表示する画像の高精細化にともなって、メインディスプレイ１０２やサブディスプレイ２０１を構成する画素数（駆動用トランジスタ）が増加し、消費電力が増加する。携帯型電話機１００のように可搬性が要求される電子機器においては、画像の高精細化にともなう消費電力の増加によって、充電池３０３や携帯型電話機１００が大型化したり総重量が増加したりして、可搬性を低下させることが懸念される。
【００８４】
実施の形態１の携帯型電話機１００は、ソーラーセル３０１，４０１で発電した電気を用いて、メインディスプレイ１０２やサブディスプレイ２０１を駆動制御することから、メインディスプレイ１０２やサブディスプレイ２０１に表示する画像などの情報を高精細化した場合にも、充電池３０３や携帯型電話機１００の大型化や総重量増加による可搬性の低下を緩和することができる。
【００８５】
また、携帯型電話機１００は、アンテナ２０５を用いた無線通信機能を備える電子機器の可搬化を実現するとともに、無線通信に際してソーラーセル３０１，４０１で発電した電気を用いることで、充電池３０３における電力の消費量を低減することができるので、外観を損ねることなく充電池３０３における電力の残量不足による電池交換や充電などの利用者の作業頻度が低減し、携帯型電話機１００の利便性の向上を図ることができる。
【００８６】
また、携帯型電話機１００は、操作ボタン１０３の煩雑な入力操作をともなうことなく、通話によって利用者が必要な情報をやりとりすることができるので、携帯型電話機１００の利便性の向上を図ることができる。
【００８７】
また、携帯型電話機１００は、ソーラーセル３０１，４０１で発電した電気を、蓄電池５１０に蓄電し、ソーラーセル３０１，４０１で発電した電気を必要時に使用することで、発電した電気を有効に利用することができる。これによって、充電池３０３の消費量を一層低減し、充電池３０３の残量不足による電池交換や充電などの利用者の作業頻度を一層軽減することができる。
【００８８】
なお、上述した実施の形態１では、操作ボタン１０３を凹レンズ形状としたが、これに限るものではない。たとえば、操作ボタン１０３は、凸レンズ形状としてもよい。また、たとえば、操作ボタン１０３全体の中に、凹レンズ形状と凸レンズ形状とが混在していてもよい。
【００８９】
図６は、実施の形態１の携帯型電話機１００の変形例（その１）を示す説明図である。図６は、上述した図３と同様に、携帯型電話機１００を図１中のＡ−Ａ線に沿って断面した状態の携帯型電話機１００の構造を概略的に示している。図６に示したように、変形例（その１）としての携帯型電話機１００の操作ボタン１０３は、凸レンズ形状を有している。操作ボタン１０３は、図６中仮想線で示したように、操作ボタン１０３に入射した外光を集光して、ソーラーセル３０１側へ透過させる。変形例（その１）では、操作ボタン１０３によってレンズ、より詳細には凸レンズが実現されている。
【００９０】
ソーラーセル３０１は、操作ボタン１０３がレンズとして機能する場合の焦点位置に対して、操作ボタン１０３の光軸方向においてずれた位置に設けられている。これにより、集光型のレンズを用いた場合にも外光がソーラーセル３０１の１箇所に集中して入射することを防止し、外光が集中することによるソーラーセル３０１の損壊を防止することができる。
【００９１】
ソーラーセル３０１では、ソーラーセル３０１を損壊させない範囲内であれば、ソーラーセル３０１に入射する外光の強度（以下、「日射強度」という）が高い方が、発電量が増加する傾向にある。変形例（その１）としての携帯型電話機１００は、操作ボタン１０３に入射した時点の日射強度よりも強度の高い光をソーラーセル３０１に入射させることができるので、たとえば、曇天時などのように日射強度が低い場合にも発電量を増やすことができる。
【００９２】
上述したように、変形例（その１）としての携帯型電話機１００によれば、ソーラーセル３０１が発電した電気を用いて、携帯型電話機１００が備える各部を駆動制御することから、限られたスペースにおいて、操作性や外観を損ねることなく充電池３０３における電力の消費量を一層低減し、充電池３０３における電力の残量不足による電池交換や充電などの利用者の作業頻度を一層軽減することができる。
【００９３】
また、変形例（その１）としての携帯型電話機１００によれば、サイズの小さいソーラーセル３０１を用いた場合にも、効率よく発電することができるので、ソーラーセル３０１を設けた場合にも、携帯型電話機１００の大型化を抑制する効果が期待できる。
【００９４】
図７は、実施の形態１の携帯型電話機１００の変形例（その２）を示す説明図である。図７は、上述した図３あるいは図６と同様に、携帯型電話機１００を図１中のＡ−Ａ線に沿って断面した状態の携帯型電話機１００の構造を概略的に示している。図７に示したように、変形例（その２）としての携帯型電話機１００の操作ボタン１０３は、操作ボタン１０３全体の中に、凹レンズ形状と凸レンズ形状とが混在している。
【００９５】
凹レンズ形状と凸レンズ形状との比率は、たとえば、ソーラーセル３０１の大きさ，形状，あるいは発電性能などに応じて、任意に設定することができる。変形例（その１）では、操作ボタン１０３によってレンズ、より詳細には凹レンズおよび凸レンズが実現されている。これによって、ソーラーセル３０１の大きさ，形状，あるいは発電性能などの設計における自由度が向上し、設計条件などに応じて、複数種類の大きさや形状のソーラーセル３０１を用いることができる。
【００９６】
変形例（その２）としての携帯型電話機１００は、凹レンズ形状を有する操作ボタン１０３によってソーラーセル３０１の発電面積を当該操作ボタン１０３における光の入射面積よりも広くすることで発電量を増やすとともに、凸レンズ形状を有する操作ボタン１０３によって日射強度よりも強度の高い光をソーラーセル３０１に入射させることで発電量を増やすことができる。
【００９７】
上述したように、変形例（その２）としての携帯型電話機１００によれば、晴天時などのように日射強度が高い場合には凹レンズ形状を有する操作ボタン１０３を介してソーラーセル３０１に外光を入射させ、曇天時などのように日射強度が低い場合には凸レンズ形状を有する操作ボタン１０３を介してソーラーセル３０１に外光を入射させることで、日射強度の違いによる発電量の低下を緩和し、できる限り多くの発電量を確保することができる。
【００９８】
そして、変形例（その２）としての携帯型電話機１００によれば、ソーラーセル３０１が発電した電気を用いて、携帯型電話機１００が備える各部を駆動制御することで、限られたスペースにおいて、操作性や外観を損ねることなく充電池３０３における電力の消費量を一層低減し、充電池３０３における電力の残量不足による電池交換や充電などの利用者の作業頻度を一層軽減することができる。
【００９９】
また、変形例（その２）としての携帯型電話機１００によれば、複数種類の大きさや形状のソーラーセル３０１を用いることができるので、たとえば、設計条件などに応じて適宜最適な大きさや形状のソーラーセル３０１を設けることで、充電池３０３における電力の消費量の低減を図るとともに、ソーラーセル３０１を設けた場合にも、携帯型電話機１００の大型化を抑制する効果が期待できる。
【０１００】
なお、上述した実施の形態１，変形例（その１），および変形例（その２）の携帯型電話機１００においては、操作ボタン１０３における光軸の向きや屈折率を操作ボタン１０３ごとに異ならせてもよい。図示を省略するが、操作ボタン１０３における光軸の向きや屈折率を操作ボタン１０３ごとに異ならせることで、多方向から照射される光をソーラーセル３０１に入射させることができ、ソーラーセル３０１に入射する外光の入射角度範囲を広くすることができる。
【０１０１】
これによって、携帯型電話機１００に対する外光の照射角度の変化による、ソーラーセル３０１に入射する外光の光量低下を緩和し、携帯型電話機１００に対する外光の照射角度に依存することなく安定した発電量を確保することができる。なお、操作ボタン１０３における光軸の向きや屈折率を操作ボタン１０３ごとに異ならせる場合、操作ボタン１０３の光軸の向きや屈折率に応じて、大きさ，配置角度，性能などの異なるソーラーセル３０１を操作ボタン１０３ごとに対応させてそれぞれ設けるようにしてもよい。
【０１０２】
（実施の形態２）
図８は、実施の形態２の携帯型電話機を示す正面図である。実施の形態２では、上述した実施の形態１と同一部分は同一符号で示し、説明を省略する。実施の形態２の携帯型電話機８００は、本体ハウジング８０１を構成する第１のハウジング８０２および第２のハウジング８０３を備える。第１のハウジング８０２および第２のハウジング８０３は、上述した実施の形態１と同様に、図示しないヒンジ部を介して相対的に回動自在に連結されている。
【０１０３】
携帯型電話機８００における本体ハウジング８０１は、第１のハウジング８０２と第２のハウジング８０３とが重なり合う折り畳み状態と、第１のハウジング８０２および第２のハウジング８０３において折り畳み状態の時に正対する１対の面がともに同じ方向を向く状態（以下、「開放状態」という）と、の間の任意の状態とすることができる。
【０１０４】
図８に示したように、本体ハウジング８０１の正面側には、スピーカ１０６，マイク１０７，サブディスプレイ２０１，電池パック２０４，操作ボタン８０４が設けられている。上述した実施の形態１と同様に、スピーカ１０６およびサブディスプレイ２０１は第１のハウジング８０２に設けられており、マイク１０７および電池パック２０４は第２のハウジング８０３に設けられている。
【０１０５】
操作ボタン８０４は、第２のハウジング８０３に設けられている。操作ボタン８０４は、利用者によって操作されることで、操作に応じた情報をサブディスプレイ２０１に表示する。携帯型電話機８００におけるサブディスプレイ２０１は、メインディスプレイ１０２に表示する表示内容を簡略化した情報を表示する。
【０１０６】
携帯型電話機８００を用いた通話時、利用者は、本体ハウジング８０１を開放状態とし、スピーカ１０６が耳に対向するとともにマイク１０７が口元に位置するように携帯型電話機８００を保持する。
【０１０７】
図９は、実施の形態２の携帯型電話機８００を示す背面図である。図９に示したように、本体ハウジング８０１の背面側には、メインディスプレイ１０２，複数の操作ボタン１０３，および撮像用レンズ２０２が設けられている。メインディスプレイ１０２および撮像用レンズ２０２は第１のハウジング８０２に設けられており、操作ボタン１０３は第２のハウジング８０３に設けられている。
【０１０８】
操作ボタン１０３は、上述した実施の形態１と同様に、レンズ形状を有している。操作ボタン１０３は、凹レンズ形状であってもよいし、凸レンズ形状であってもよいし、あるいは、操作ボタン１０３全体の中に凹レンズ形状および凸レンズ形状が混在していてもよい。図示を省略するが、第２のハウジング８０３の内部には、上述した実施の形態１におけるソーラーセル３０１と同様に、操作ボタン１０３を透過した外光が入射するソーラーセルが設けられている。ソーラーセルは、操作ボタン１０３から第２のハウジング８０３の内部に入射した外光が入射される位置に設けられている。
【０１０９】
また、図示を省略するが、第１のハウジング８０２の内部には、上述した実施の形態１におけるソーラーセル４０１と同様に、メインディスプレイ１０２に積層されたソーラーセルが設けられている。第１のハウジング８０２の内部に設けられたソーラーセルは、メインディスプレイ１０２を介して入射した外光を用いて発電する。
【０１１０】
図１０は、実施の形態２の携帯型電話機８００を示す斜視図である。図１０には、折り畳み状態にある携帯型電話機８００を操作ボタン１０３側から見た状態が示されている。図１０に示したように、携帯型電話機８００は、開放状態にあるか折り畳み状態にあるかにかかわらず、常時操作ボタン１０３が露出している。なお、図１０中、符号１００１は、携帯型電話機８００本体から電池パック２０４を取り外すことなく、充電池３０３に充電するためのコネクタを塞ぐカバー部材である。カバー部材は、充電池３０３への充電に際して、携帯型電話機８００本体から取り外される。
【０１１１】
携帯型電話機８００は、利用者の意図しない動作（以下、「誤動作」という）を防止するための機能を備えている。具体的には、たとえば、所定の操作ボタン１０３を所定の順序で操作することによって、以降、操作ボタン１０３への操作を無効にする（キーロック設定）とともに、キーロック設定された状態で所定の操作ボタン１０３を所定の順序で操作することによってキーロック設定を解除することで、誤動作を防止する。
【０１１２】
また、具体的には、たとえば、「キーロック設定／キーロック設定解除」をおこなう専用の操作キー（図示を省略）を設けてもよい。これによって、露出している操作ボタン１０３を利用者が不意に触れてしまうなどして、利用者の意図しないタイミングで操作キー１０３が操作された場合の携帯型電話機８００の誤動作を防止することができる。また、所定の操作ボタン１０３を所定の順序で操作することによって、「発電する／発電しない」を選択的に設定可能とし、「発電する」設定がなされている場合には、操作キー１０３が操作された場合にも、当該操作に応じた動作をおこなわないようにすることで、誤動作を防止するようにしてもよい。
【０１１３】
実施の形態２の携帯型電話機８００は、ソーラーセルが発電した電気を用いて、携帯型電話機８００が備える各部を駆動制御する。これによって、携帯型電話機８００によれば、充電池３０３における電力の消費量を低減し、充電池３０３における電力の残量不足による電池交換や充電などの利用者の作業頻度を軽減することができる。
【０１１４】
また、実施の形態２の携帯型電話機８００は、操作ボタン１０３が常時露出しているため、通話時であるか非通話時であるかにかかわらず、太陽や照明などの光源に操作ボタン１０３を向けておくことで、操作ボタン１０３を介してソーラーセルに外光を入射させることができる。これによって、携帯型電話機８００が備えるソーラーセルの発電量を増やすことができる。
【０１１５】
また、実施の形態２の携帯型電話機８００は、メインディスプレイ１０２が常時露出しているため、通話時であるか非通話時であるかにかかわらず、すなわち、開放状態にあるか折り畳み状態にあるかにかかわらず、太陽や照明などの光源にメインディスプレイ１０２を向けておくことで、メインディスプレイ１０２を介してソーラーセルに外光を入射させることができる。これによって、携帯型電話機８００が備えるソーラーセルの発電量を増やすことができる。
【０１１６】
そして、ソーラーセルでの発電量が増えることによって、ソーラーセルが発電した電気を用いて駆動する駆動対象を増やしたり、ソーラーセルが発電した電気を用いた駆動時間を増やしたりすることができるので、外観を損ねることなく充電池３０３における電力の消費量を一層低減し、充電池３０３における電力の残量不足による電池交換や充電などの利用者の作業頻度を一層軽減することができる。
【０１１７】
また、実施の形態２の携帯型電話機８００においては、メインディスプレイ１０２および操作ボタン１０３が、ともに本体ハウジング８０１の背面側に設けられているため、利用者は、操作ボタン１０３に対する操作位置と当該操作に応じてメインディスプレイ１０２に表示される表示内容とを、容易に視認することができる。これによって、携帯型電話機８００の操作性や使い勝手を低下させることなく、ソーラーセルの発電量を増やすことができる。
【０１１８】
加えて、実施の形態２の携帯型電話機８００におけるスピーカ１０６およびマイク１０７の位置は、上述した位置に限るものではない。たとえば、図８に示したスピーカ１０６およびマイク１０７の位置を、それぞれ入れ替えてもよい。図示を省略するが、この場合、スピーカ１０６が第２のハウジング８０３に設けられ、マイク１０７が第１のハウジング８０２に設けられる。
【０１１９】
携帯型電話機８００で通話する際、利用者は、携帯型電話機８００の中間部分（第１のハウジング８０２と第２のハウジング８０３との連結部分）、あるいは、当該中間部分からマイク１０６側を把持する傾向にある。すなわち、通話中の利用者は、携帯型電話機８００における第１のハウジング８０２を把持する傾向にある。
【０１２０】
スピーカ１０６を第２のハウジング８０３に設け、マイク１０７を第１のハウジング８０２に設けることで、通話中に利用者が第１のハウジング８０２を把持しても、操作ボタン１０３が露出した状態となるので、通話中であっても操作ボタン１０３に外光が入射することができる。これによって、通話中であってもソーラーセルで発電することができるので、充電池３０３における電力の消費量を一層低減し、充電池３０３における電力の残量不足による電池交換や充電などの利用者の作業頻度を一層軽減することができる。
【０１２１】
また、スピーカ１０６およびマイク１０７の位置は、たとえば、第１のハウジング８０２にまとまっていてもよい。図１１は、実施の形態２の携帯型電話機（変形例）を示す正面図である。変形例としての携帯型電話機８００において、スピーカ１０６およびマイク１０７は、第１のハウジング８０２においてメインディスプレイ１０２が設けられている側に設けられている。
【０１２２】
変形例としての携帯型電話機８００で通話する際、利用者は、メインディスプレイ１０２を自身に向けるようにして変形例としての携帯型電話機８００を把持する。このように、通話中は、必ず操作ボタン１０３が外側を向くので、外光が操作ボタン１０３に入射し易くなる。これによって、通話中にソーラーセルで発電し易くすることができるので、充電池３０３における電力の消費量を一層低減し、充電池３０３における電力の残量不足による電池交換や充電などの利用者の作業頻度を一層軽減することができる。
【産業上の利用可能性】
【０１２３】
以上のように、この発明にかかる電子機器および音声通信機器によれば、操作ボタンを備える電子機器に有用であり、特に移動通信を目的とした携帯型電話機のような電子機器に適している。
【図面の簡単な説明】
【０１２４】
【図１】実施の形態１の携帯型電話機を示す正面図である。
【図２】実施の形態１の携帯型電話機を示す背面図である。
【図３】図１のＡ−Ａ断面を示す概略図である。
【図４】図１のＢ−Ｂ断面を示す概略図である。
【図５】携帯型電話機が備える各部の電気的接続を示すブロック図である。
【図６】実施の形態１の携帯型電話機の変形例（その１）を示す説明図である。
【図７】実施の形態１の携帯型電話機の変形例（その２）を示す説明図である。
【図８】実施の形態２の携帯型電話機を示す正面図である。
【図９】実施の形態２の携帯型電話機を示す背面図である。
【図１０】実施の形態２の携帯型電話機を示す斜視図である。
【図１１】実施の形態２の携帯型電話機（変形例）を示す正面図である。
【符号の説明】
【０１２５】
１００  携帯型電話機
１０２  メインディスプレイ
１０３  操作ボタン
１０６  スピーカ
１０７  マイク
２０２  撮影用レンズ
２０５  アンテナ
３０１  ソーラーセル
４０１  ソーラーセル
５０１  ＣＣＤ
５１０  蓄電池
８００  携帯型電話機
【図１】
0004759449.tif 000002
【図２】
0004759449.tif 000003
【図３】
0004759449.tif 000004
【図４】
0004759449.tif 000005
【図５】
0004759449.tif 000006
【図６】
0004759449.tif 000007
【図７】
0004759449.tif 000008
【図８】
0004759449.tif 000009
【図９】
0004759449.tif 000010
【図１０】
0004759449.tif 000011
【図１１】
0004759449.tif 000012